(57)【要約】【課題】ユーザが装着する眼鏡の動きが移動量とは異なる検出量で検出され、この検出量に応じた動作を行うことができる映像装置を提供する。【解決手段】傾き角を算出する傾き角算出部と、前記算出された傾き角を送信する傾き角信号送信部と、を備えた眼鏡から前記送信された傾き角を受信する傾き角信号受信部と、前記傾き角信号受信部により受信された傾き角の変化に応じて所定の制御を行う制御部と、を備えた映像装置とした。【選択図】図１
2011250222.tif 000002
【特許請求の範囲】
【請求項１】
傾き角を算出する傾き角算出部と、前記算出された傾き角を送信する傾き角信号送信部と、を備えた眼鏡から前記送信された傾き角を受信する傾き角信号受信部と、
前記傾き角信号受信部により受信された傾き角の変化に応じて所定の制御を行う制御部と、を備えたことを特徴とする映像装置。
【請求項２】
前記制御部は、前記傾き角信号受信部により受信された傾き角の変化に応じて視点を切替えた映像を表示部に表示させる制御を行うことを特徴とする請求項１に記載の映像装置。
【請求項３】
視点が異なる映像データを含んだ放送データから一つの視点の映像データを抽出して出力する抽出出力部を備え、
前記制御部は、前記傾き角信号受信部により受信された傾き角の変化に応じて視点を切替えた映像データを抽出するよう前記抽出出力部に指示することを特徴とする請求項２に記載の映像装置。
【請求項４】
前記制御部は、視点を切替えた映像を前記表示部に表示させる制御を行うと共に、前記視点を切替えた映像に対応する音声に切替える制御を行うことを特徴とする請求項２または請求項３に記載の映像装置。
【請求項５】
前記制御部は、前記傾き角信号受信部により受信された傾き角の変化に応じて音量調整制御または電源オンオフ制御を行うことを特徴とする請求項１に記載の映像装置。
【請求項６】
マルチチャンネルオーディオ用パワーアンプを接続可能であって、
前記制御部は、前記傾き角信号受信部により受信された傾き角の変化に応じて少なくとも一つのチャンネルの音量を調整するよう前記マルチチャンネルオーディオ用パワーアンプに制御信号を送信することを特徴とする請求項５に記載の映像装置。
【請求項７】
前記眼鏡は、加速度センサおよび／またはジャイロセンサを有し、前記加速度センサおよび／または前記ジャイロセンサの検出信号に基づき前記傾き角算出部は傾き角を算出することを特徴とする請求項１〜請求項６のいずれかに記載の映像装置。
【請求項８】
３次元画像対応のテレビ装置であって、前記眼鏡は３次元画像を視るための眼鏡であることを特徴とする請求項１〜請求項７のいずれかに記載の映像装置。
【発明の詳細な説明】
【技術分野】
【０００１】
本発明は、映像装置に関するものである。
【背景技術】
【０００２】
従来から、３次元画像を生成する様々な装置が開発されており、特に近年では専用の眼鏡により３次元画像を視ることが可能なテレビ装置も登場している。
【０００３】
従来の３次元画像を生成する装置として、例えば、特許文献１には、ユーザが装着した眼鏡に取り付けた加速度センサの信号を２回積分して移動量を検出することでユーザの顔の動きを検出して、視点の変化を検出し、検出された視点の変化に応じた左右眼用画像を生成し、これを表示することで３次元画像を生成するような装置が開示されている。
【先行技術文献】
【特許文献】
【０００４】
【特許文献１】特開２００１−２２２７２３号公報（第４頁、第４図等）
【発明の概要】
【発明が解決しようとする課題】
【０００５】
しかし、上記特許文献１の装置では、加速度センサの信号を２回積分して移動量を検出しているので、顔が回転せず前後に移動した場合でも視点の変化として検出されてしまう。
【０００６】
上記問題点を鑑み、本発明は、ユーザが装着する眼鏡の動きが移動量とは異なる検出量で検出され、この検出量に応じた動作を行うことができる映像装置を提供することを目的とする。
【課題を解決するための手段】
【０００７】
上記目的を達成するために本発明の映像装置は、傾き角を算出する傾き角算出部と、前記算出された傾き角を送信する傾き角信号送信部と、を備えた眼鏡から前記送信された傾き角を受信する傾き角信号受信部と、
前記傾き角信号受信部により受信された傾き角の変化に応じて所定の制御を行う制御部と、を備えた構成とする。
【０００８】
このような構成によれば、ユーザが装着する眼鏡の動きが傾き角で検出され、映像装置は検出された傾き角に応じた動作を行うことができる。
【０００９】
また、上記構成において、前記制御部は、前記傾き角信号受信部により受信された傾き角の変化に応じて視点を切替えた映像を表示部に表示させる制御を行う構成としてもよい。
【００１０】
このような構成によれば、眼鏡を装着したユーザが顔を傾けることで視点を切替えた映像が表示され、ユーザは臨場感あふれる映像鑑賞ができる。
【００１１】
また、この構成において、視点が異なる映像データを含んだ放送データから一つの視点の映像データを抽出して出力する抽出出力部を備え、
前記制御部は、前記傾き角信号受信部により受信された傾き角の変化に応じて視点を切替えた映像データを抽出するよう前記抽出出力部に指示する構成としてもよい。
【００１２】
また、上記いずれかの構成において、前記制御部は、視点を切替えた映像を前記表示部に表示させる制御を行うと共に、前記視点を切替えた映像に対応する音声に切替える制御を行う構成としてもよい。このような構成によれば、ユーザは臨場感あふれる映像音声視聴が可能となる。
【００１３】
また、上記構成において、前記制御部は、前記傾き角信号受信部により受信された傾き角の変化に応じて音量調整制御または電源オンオフ制御を行う構成としてもよい。
【００１４】
また、この構成において、マルチチャンネルオーディオ用パワーアンプを接続可能であって、前記制御部は、前記傾き角信号受信部により受信された傾き角の変化に応じて少なくとも一つのチャンネルの音量を調整するよう前記マルチチャンネルオーディオ用パワーアンプに制御信号を送信する構成としてもよい。
【００１５】
このような構成によれば、眼鏡を装着したユーザが顔を傾けることでマルチチャンネルのうち少なくとも一つのチャンネルの音量が調整されるので、ユーザはマルチチャンネルオーディオシステムにおいてより臨場感あふれる音声鑑賞が可能となる。
【００１６】
また、上記いずれかの構成において、前記眼鏡は、加速度センサおよび／またはジャイロセンサを有し、前記加速度センサおよび／または前記ジャイロセンサの検出信号に基づき前記傾き角算出部は傾き角を算出する構成としてもよい。
【００１７】
また、上記いずれかの構成の映像装置は、３次元画像対応のテレビ装置であって、前記眼鏡は３次元画像を視るための眼鏡であってもよい。
【発明の効果】
【００１８】
本発明の映像装置によれば、ユーザが装着する眼鏡の動きが移動量とは異なる検出量で検出され、この検出量に応じた動作を行うことができる。
【図面の簡単な説明】
【００１９】
【図１】本発明の一実施形態に係る３次元画像対応テレビ装置および専用眼鏡の概略構成を示す図である。
【図２】本発明の一実施形態に係る３次元画像対応テレビ装置および専用眼鏡の概略外観を示す図である。
【図３】本発明の別実施形態に係る３次元画像対応テレビ装置を含めたマルチチャンネルオーディオシステムの概略構成を示す図である。
【図４】本発明の別実施形態に係る３次元画像対応テレビ装置を含めたマルチチャンネルオーディオシステムの概略外観を示す図である。
【発明を実施するための形態】
【００２０】
以下に本発明の実施形態を図面を参照して説明する。ここでは、３次元画像に対応したテレビ装置を一例に挙げて説明する。
【００２１】
図１は、本発明の一実施形態に係る３次元画像に対応したテレビ装置１００および３次元画像をユーザが視るための眼鏡２００の概略構成を示す。また、図２に、テレビ装置１００および眼鏡２００の概略外観を示す。
【００２２】
テレビ装置１００は、チューナ２と、復調ＩＣ３と、ＤＥＭＵＸ（デマルチプレクサ）４と、映像デコーダ５と、映像出力部６と、液晶パネル７と、音声デコーダ８と、パワーアンプ９と、スピーカ１０と、制御部１１と、リモコン受光部１２と、傾き角信号受信部１３と、同期信号送信部１４と、を備えている。チューナ２には、アンテナ１が接続されている。
【００２３】
また、眼鏡２００は、傾き角信号送信部１５と、傾き角算出部１６と、１軸ジャイロセンサ１７と、３軸加速度センサ１８と、同期信号受信部１９と、レンズシャッター制御部２０と、レンズシャッター２１と、を備えている。
【００２４】
チューナ２は、アンテナ１から受信したデジタル放送信号から選局周波数の放送信号を選局し、選局された放送信号を復調ＩＣ３に出力する。復調ＩＣ３は、受信した放送信号をＯＦＤＭ（Orthogonal Frequency Division Multiplexing）方式で復調し、ビダビ復号等を用いて誤り訂正を行いＴＳ（Transport Stream）データを取り出す。
【００２５】
ＤＥＭＵＸ４は、ＴＳデータから映像ストリームを抽出し映像デコーダ５に出力すると共に、ＴＳデータから音声ストリームを抽出し音声デコーダ８に出力する。
【００２６】
映像デコーダ５は、映像ストリームをデコードし、デジタル映像データを映像出力部６に出力する。映像出力部６は、デジタル映像データを液晶パネル７の表示に適した形式の映像信号に変換し、液晶パネル７に出力する。液晶パネル７は、映像出力部６から入力される映像信号に基づき映像を表示する。ここで、液晶パネル７には、左目用画像および右目用画像が交互に表示される。
【００２７】
音声デコーダ８は、音声ストリームをデコードし、デジタル音声データをパワーアンプ９に送信する。パワーアンプ９は、デジタル音声データに基づきスピーカ１０の駆動信号を生成し、スピーカ１０を駆動させる。これにより、スピーカ１０から放送音声が発生する。
【００２８】
制御部１１は、例えばマイコンから構成され、テレビ装置１００を統括的に制御する。リモコン受光部１２は、不図示のリモコン装置からキー操作に応じたリモコン信号を受信し、受信したリモコン信号をリモコンコードに変換して制御部１１に送り、制御部１１はリモコンコードに応じた制御を行う。
【００２９】
また、制御部１１は、映像デコーダ５による左目用画像データおよび右目用画像データの出力に同期した同期信号を同期信号送信部１４を介して眼鏡２００の同期信号受信部１９に送信する。眼鏡２００への同期信号の送信は、例えば赤外線による無線通信で行う。
【００３０】
そして、同期信号受信部１９を介してレンズシャッター制御部２０は同期信号を受信し、受信した同期信号に応じて左右のレンズシャッター２１を開閉制御する。これにより、眼鏡２００を装着したユーザは、液晶パネル７に交互に表示される左目用画像および右目用画像を３次元画像として認識できる。
【００３１】
また、眼鏡２００には、１軸ジャイロセンサ１７および３軸加速度センサ１８が設けられている。１軸ジャイロセンサ１７は、１軸回りの角速度を検出し、角速度検出信号を傾き角算出部１６に出力する。３軸加速度センサ１８は、互いに直交する３軸方向の加速度を検出し、加速度検出信号を傾き角算出部１６に出力する。傾き角算出部１６は、入力された角速度検出信号に基づき眼鏡２００のヨー軸回りの傾き角を算出する。また、傾き角算出部１６は、入力された加速度検出信号に基づき眼鏡２００のピッチ軸回りの傾き角を算出する。
【００３２】
そして、傾き角算出部１６は、算出した傾き角の信号を傾き角信号送信部１５を介してテレビ装置１００側の傾き角信号受信部１３に送信する。傾き角信号のテレビ装置１００への送信は、例えば赤外線やBluetooth（登録商標）による無線通信で行う。そして、制御部１１は、傾き角信号受信部１３を介して傾き角信号を受信し、受信した傾き角信号に応じた制御を行う。
【００３３】
（映像視点切替え）
次に、テレビ装置１００および眼鏡２００による映像視点切替え制御について説明する。
【００３４】
ここで、ＴＳデータに正面方向、左方向並びに右方向の各視点の映像データが含まれ、ＤＥＭＵＸ４により正面方向の視点の映像ストリームがＴＳデータから抽出され映像デコーダ５に出力され、液晶パネル７には正面方向から視た画像が表示されているとする。そして、制御部１１が傾き角信号受信部１３を介して受信する傾き角信号を監視し、ヨー軸回りの傾き角が左右それぞれ所定角度以内（例えば、４５度以内）である間は制御部１１は視点切替えを行わず、液晶パネル７には正面方向から視た画像が表示される。
【００３５】
そして、ヨー軸回りの傾き角が上記所定角度を超えた場合に、制御部１１は、視点を切替えた映像ストリームをＴＳデータから抽出するようＤＥＭＵＸ４に指示する。このとき、左方向に所定角度を超えた場合は、右方向からの視点に切替えた映像ストリームを、右方向に所定角度を超えた場合は、左方向からの視点に切替えた映像ストリームを抽出するようＤＥＭＵＸ４に指示する。これにより、ユーザが左方向に顔を回転させると右方向からの視点の映像に、右方向に顔を回転させると左方向からの視点の映像に表示が切替わり、臨場感にあふれた映像鑑賞が可能となる。
【００３６】
なお、ピッチ軸回りの傾き角の信号を監視し、上下それぞれ所定角度を超えた場合に、上下それぞれからの視点に切替えた映像を表示させるようにしてもよい。
【００３７】
（眼鏡による遠隔操作）
また、眼鏡２００をリモコン装置（不図示）の代用としてテレビ装置１００の遠隔操作に用いる実施形態でもよい。ここでは、この実施形態について説明する。
【００３８】
例えば、制御部１１が傾き角信号受信部１３を介して受信する傾き角信号を監視し、ピッチ軸回りの傾き角が上方向に所定角度（例えば、４５度）を超えた場合、時間計測を開始し、所定時間以内にピッチ軸回りの傾き角が下方向に所定角度（例えば、４５度）を超えた場合に、制御部１１が音量ダウンするようパワーアンプ９を制御する。もし所定時間以内に傾き角が下方向に所定角度を超えなかった場合は、制御部１１はなにも行わない。
【００３９】
これによれば、ユーザが顔を一旦上方向に振った後、下方向に振るという所定の操作が意思をもってされた場合に、音量がダウン調整される。たまたま上方向に顔を振ったが再び正面を向いて静止されたような場合は、なにも起こらないので誤動作を防ぐことができる。
【００４０】
なお、音量アップについては、上記とは逆に、ピッチ軸回りの傾き角が下方向に所定角度を超えてから、所定時間以内に上方向に所定角度を超えた場合に、音量アップするようにすればよい。
【００４１】
また、例えば、ヨー軸回りの傾き角が右方向に所定角度を超えてから、所定時間以内に左方向に所定角度を超えた場合に、制御部１１が電源をオンとする制御を行い、逆に、ヨー軸回りの傾き角が左方向に所定角度を超えてから、所定時間以内に右方向に所定角度を超えた場合に、電源をオフする制御を行うようにしてもよい。
【００４２】
また、次のような実施形態でもよい。眼鏡２００に不図示の専用のスイッチを設けて、このスイッチが押されると眼鏡２００からスイッチが押された旨の通知信号がテレビ装置１１側の制御部１１に送られる。すると、制御部１１が時間計測を開始し、傾き角信号を監視し、所定時間以内に例えばピッチ軸回りの傾き角が上下に所定角度を超えたら、それぞれ音量をアップまたはダウンするよう制御するようにする。そして、所定時間が経過すれば、制御部１１は傾き角信号の監視を終了し、以降眼鏡２００を傾けても音量調整はされないようにする。
【００４３】
（マルチチャンネルオーディオ対応の場合）
図３に、マルチチャンネルオーディオに対応した別実施形態に係るテレビ装置１００’を含むマルチチャンネルオーディオシステムの概略構成を示す。また、図４に、このマルチチャンネルオーディオシステムの概略外観を示す。
【００４４】
テレビ装置１００’の上述したテレビ装置１００との相違点は、ＨＤＭＩ（High-Definition Multimedia Interface）送信部２２を備えていることであり、ＨＤＭＩ送信部２２に含まれるＨＤＭＩ端子（不図示）が外部のマルチチャンネルパワーアンプ２３にＨＤＭＩケーブルによって接続されている。ＨＤＭＩは、音声信号に加えて制御信号を送信可能なデジタルインターフェースである。
【００４５】
マルチチャンネルスピーカ２４は、フロント左スピーカ２４ａ、フロント右スピーカ２４ｂ、センタースピーカ２４ｃ、リア左スピーカ２４ｄ、リア右スピーカ２４ｅ並びにサブウーファースピーカ２４ｆから構成されており、各スピーカがマルチチャンネルパワーアンプ２３にケーブルで接続される。
【００４６】
ＤＥＭＵＸ４は、ＴＳデータからマルチチャンネルの音声ストリームを抽出しＨＤＭＩ送信部２２に出力し、ＨＤＭＩ送信部２２は入力された音声ストリームをＨＤＭＩ形式でマルチチャンネルパワーアンプ２３に送信する。マルチチャンネルパワーアンプ２３は、受信した音声ストリームをデコードし、デコード後の各チャンネルの音声信号を音量調整し、マルチチャンネルスピーカ２４の各スピーカに出力し、各スピーカから音声が発生する。
【００４７】
ここで、ＨＤＭＩ送信部２２からマルチチャンネルパワーアンプ２３に音声ストリームが送信され、マルチチャンネルスピーカ２４から音声が発生しているとする。そして、制御部１１が傾き角信号受信部１３を介して受信する傾き角信号を監視し、ヨー軸回りの傾き角が左右それぞれ所定角度以内（例えば、４５度以内）である間は制御部１１はなにも行わない。そして、所定角度を超えた場合、制御部１１は、ＨＤＭＩ送信部２２を介して制御信号をマルチチャンネルパワーアンプ２３に送信する。ここで、左方向に所定角度を超えた場合は、フロント左チャンネルの音量を、右方向に所定角度を超えた場合は、フロント右チャンネルの音量をアップする旨を指示する制御信号を送信する。すると、マルチチャンネルパワーアンプ２３は、制御信号に応じて音量調整を行う。
【００４８】
これにより、眼鏡２００を装着したユーザが顔を左方向に回転させると、フロント左スピーカ２４ａの音量がアップされ、右方向に回転させると、フロント右スピーカ２４ｂの音量がアップされるので、先の実施形態で述べた映像視点切替えも併せて実施することで、臨場感にあふれた視聴が可能となる。なお、音量調整については、フロント左スピーカ２４ａ、フロント右スピーカ２４ｂに加えて、センタースピーカ２４ｃ、リア左スピーカ２４ｄ、リア右スピーカ２４ｅも併せて全体的に音量調整を行うようにしてもよい。
【００４９】
また、傾き角信号に応じて制御部１１がＤＥＭＵＸ４にＴＳデータから抽出する音声ストリームの切替えを指示し、ＤＥＭＵＸ４が抽出する音声ストリームを切替えてもよい。例えば、初期状態に湖の水面上の場面の映像音声を視聴しているとして、ピッチ軸回りの傾き角が上方向に所定角度を超えた場合に（即ち、ユーザが顔を上方向に向けた場合に）、制御部１１がＤＥＭＵＸ４に抽出する映像ストリームおよび音声ストリームの切替えを指示し、液晶パネル７に湖の水面下の映像が表示され、マルチチャンネルスピーカ２４から湖の水面下の音声が発生する。
【００５０】
以上、本発明の実施形態について説明したが、本発明の趣旨を逸脱しない範囲であれば、実施形態は種々変更が可能である。
【００５１】
例えば、本発明は、テレビ装置に限らず、セットトップボックス、Ｂｌｕ−ｒａｙ  Ｄｉｓｃレコーダ、ＤＶＤレコーダ等の映像装置に適用することが可能である。
【符号の説明】
【００５２】
１    アンテナ
２    チューナ
３    復調ＩＣ
４    ＤＥＭＵＸ
５    映像デコーダ
６    映像出力部
７    液晶パネル
８    音声デコーダ
９    パワーアンプ
１０    スピーカ
１１    制御部
１２    リモコン受光部
１３    傾き角信号受信部
１４    同期信号送信部
１５    傾き角信号送信部
１６    傾き角算出部
１７    １軸ジャイロセンサ
１８    ３軸加速度センサ
１９    同期信号受信部
２０    レンズシャッター制御部
２１    レンズシャッター
２２    ＨＤＭＩ送信部
２３    マルチチャンネルパワーアンプ
２４    マルチチャンネルスピーカ
１００、１００’    テレビ装置
２００    眼鏡
【図１】
2011250222.tif 000003
【図２】
2011250222.tif 000004
【図３】
2011250222.tif 000005
【図４】
2011250222.tif 000006